(57)【要約】【課題】脚部や接地足部のみの分離、一部取り替えが可能な軽量で、加工、分解、再生が容易で且つ低コストで行え、使用の自由度の高い着脱式高足接地器具の提供を課題とする。【解決手段】長靴等の靴底１１０に結合した脚部２００と、該脚部２００の下方に結合された接地足部３００を有する着脱式高足接地器具であって、脚部２００はアルミ製若しくはプラスチック製の空洞部を有する筒状体から構成され、接地足部３００は前記筒状体と連結するための連結用凸部３１１を有するアルミ製若しくはプラスチック製の平板状体３１０とその下面に積層されたゴム製の平板状体３２０から構成されている。また脚部２００は爪先側と踵側に１対設けられ、且つ連結棒４００で相互に連結固定されている【選択図】      図１
0003125591.tif 000002
【実用新案登録請求の範囲】
【請求項１】
長靴等の靴底に着脱可能に結合される脚部と、該脚部の下方に着脱可能に結合される接地足部とを有することを特徴とする着脱式高足接地器具。
【請求項２】
脚部はアルミ製若しくはプラスチック製の空洞部を有する筒状体から構成され、接地足部は前記筒状体と連結するための連結用凸部を有するアルミ製若しくはプラスチック製の平板状体とその下面に積層されたゴム製の平板状体から構成されていることを特徴とする請求項１に記載の着脱式高足接地器具。
【請求項３】
脚部は爪先側と踵側に１対設けられ、且つ連結棒で相互に連結固定されていることを特徴とする請求項１又は２に記載の着脱式高足接地器具。
【請求項４】
長靴等の靴底に着脱可能に結合され、靴底を下方から支持すると共に地面等の接地面に接する着脱式高足接地器具であって、前記靴底の爪先側と踵側とにそれぞれ取り付けられる筒状体からなる１対の脚部と、該１対の脚部をその途中で相互に連結固定する連結棒とを有することを特徴とする着脱式高足接地器具。
【考案の詳細な説明】
【技術分野】
【０００１】
本考案は着脱式高足接地器具に関する。
【背景技術】
【０００２】
従来、靴に高さをもたせたものとしては、背を高く見せるための、いわゆるシークレットブーツ等の靴があった。これらの靴は靴内部の中敷に厚みをもたせたものが一般的であった。この従来のシークレットブーツ等の場合には、靴底と爪先部、甲皮部、踵部等のいわゆる靴本体部とを一体に張り合わせて構成されており、接地足部である靴底等を容易に分離し、取り替え等を行うことが困難であるという問題があった。
一方、実開平６−５８７０２号公報には工事用高さ増大長靴が、また実用新案登録第３０６３８１６号公報には靴底の高さを高くした靴が提供されている。
【特許文献１】実開平６−５８７０２号公報
【特許文献２】実用新案登録第３０６３８１６号公報
【考案の開示】
【考案が解決しようとする課題】
【０００３】
上記特許文献１に示すような靴は一定の高さを保持する点において靴の利点となるものである。また上記特許文献２に示すような靴は足を長く見せるために靴底の長さを長くする点において靴の利点となるものである。しかし上記記載の靴は何れも靴底が爪先部、甲皮部、踵部等のいわゆる靴本体部と一体に張り合わされた構成であり、接地足部である靴底を容易に分離し、一部取り替え、再生等を行うことが困難であるという問題があった。また上記特許文献１、２に示す靴の靴底の形状は靴本体の外周と同一形状をなしており、その外周を超える構成とはされていないことから、靴底の高さの増加に比例して靴底の長手方向に直交する方向の動きに対して安定に保持することが困難であるという問題があった。
【０００４】
そこで本考案は上記従来技術の問題を解消し、脚部や接地足部のみの分離、一部取り替えが可能な軽量で、加工、分解、再生が容易で且つ低コストで行え、靴底の高さがある程度高くなっても靴底の長手方向に直交する方向の動きに対して安定に保持することが可能であり、使用の自由度の高い着脱式高足接地器具の提供を課題とする。
【課題を解決するための手段】
【０００５】
上記課題を達成するための本考案の着脱式高足接地器具は、長靴等の靴底に着脱可能に結合される脚部と、該脚部の下方に着脱可能に結合される接地足部とを有することを第１の特徴としている。
また本考案の着脱式高足接地器具は、上記第１の特徴に加えて、脚部はアルミ製若しくはプラスチック製の空洞部を有する筒状体から構成され、接地足部は前記筒状体と連結するための連結用凸部を有するアルミ製若しくはプラスチック製の平板状体とその下面に積層されたゴム製の平板状体とから構成されていることを第２の特徴としている。
また本考案の着脱式高足接地器具は、上記第１又は第２の特徴に加えて、脚部が爪先側と踵側に１対設けられ、且つ連結棒で相互に連結固定されていることを第３の特徴としている。
また本考案の着脱式高足接地器具は、長靴等の靴底に着脱可能に結合され、靴底を下方から支持すると共に地面等の接地面に接する着脱式高足接地器具であって、前記靴底の爪先側と踵側とにそれぞれ取り付けられる筒状体からなる１対の脚部と、該１対の脚部をその途中で相互に連結固定する連結棒とを有することを第４の特徴としている。
【考案の効果】
【０００６】
請求項１に記載の着脱式高足接地器具によれば、接地足部が靴本体とは着脱可能に分離した別部材として脚部により結合されているので、接地足部のみの分離、一部取り替え、再生を容易に行うことができる。また靴底と接地足部との間が脚部を設けたことにより一定の距離を隔てた構成となり、靴底が直接地面等の接地面に触れることがないことから、地面等の接地面に水や油等の液体があっても、爪先部、甲皮部、踵部、靴底部等のいわゆる靴本体へ水等の液体の浸水や油等の付着を軽減、防止することができる。
また地面等の接地面に釘、針、ガラス破片等の危険物がある場合でも、靴底で直接踏むことがないことから足裏の安全を確保できると共に、靴自体に傷が生じることを防止することができる。また地面等の接地面が有する温度が直接靴底に伝わることがないので、靴底の温度変化による影響を足裏が受けることがなく、足裏の血管の収縮や足裏の冷え、暑さ、むくみ等を抑え、足裏及び足全体の快適さを保持することができる。
【０００７】
請求項２に記載の着脱式高足接地器具によれば、脚部がアルミ製若しくはプラスチック製の筒状体からなる構成となっていることから、軽量で加工、分解、一部取り替え、再生等が容易で、且つ低コストで行える。
また筒状体が空洞部を有する構成となっていることから、ドライバー等の工具や指先を容易に筒状体内部に挿入することができ、ボルト、ナット等での靴本体や接地足部との着脱を容易に行うことができる。また取り付け後はナットが外部からは見えない構成とすることができる。また着脱式高足接地器具を持ち運ぶ際にも筒状の形状は手のひらで掴みやすく、持ち運びを容易に行うことができる。
また接地足部がゴム製の平板状体を地面等に対面する層とした構成となっていることから、地面等に対してゴムにより確実に接地することができる。そうすることで地面等に対するゴムが有するグリップ力を増すことができ、脚部の高さがある程度高くなっても多方向の動きに対しての安定を保持することができ、地面等に水等の液体がある場合でも安定した起立状態を保持して歩行を行うことができる。またクッション材として歩行時等には足への衝撃を防止することができる。
また前記筒状体と連結するための連結用凸部を有する平板状体からなる構成となっているので、靴を履いた場合に体重によって脚部と接地足部との接合面に作用する下方への力を平面へと分散することができる。また連結用凸部によって筒状体を挟み込むことになるので筒状体の靴底の長手方向に直交する方向へのずれを防止できると共に、筒状体と接地足部との結合を容易に位置決めすることができる。
更にゴム製の平板状体を最下層とするアルミ製若しくはプラスチック製の多層からなる平板状体とする構成としていることから前記アルミ製若しくはプラスチック製の平板状体によって平面へと分散された下方への力をゴム製の平板状体によって適当に弾性変形することでその接地面積を増大し、応力集中を緩和することができる。よってこれらの応力の分散、緩和作用により、脚部が空洞部を有する構成であっても、脚部の変形を防止することができる。また軽量で加工、分解、一部取り替え、再生等が容易で且つ低コストで行える。
【０００８】
請求項３に記載の着脱式高足接地器具によれば、筒状体は爪先側と踵側に１対設けられているので、靴を履いた場合の体重をバランスよく爪先側と踵側に分散でき、安定した起立、歩行を行うことができる。また１対の筒状体が連結棒で相互に連結固定されているので、靴底と脚部の結合を更に強固にしつつ、脚部の平行と地面等の接地面に対する強度を保持することができる。
【０００９】
請求項４に記載の着脱式高足接地器具によれば、脚部が靴本体とは着脱可能に分離した別部材として靴底に結合されているので、脚部のみの分離、一部取り替え、再生を容易に行うことができる。また接地足部を有しない構成としているので、加工、組み立て等が接地足部を有する場合に比べて容易となる。また靴底と地面等の接地面との間に脚部を設けたことにより一定の距離を隔てた構成となり、靴底が直接地面等の接地面に触れることがないことから、地面等の接地面に水や油等の液体があっても、爪先部、甲皮部、踵部、靴底部等のいわゆる靴本体へ水等の液体の浸水や油等の付着を軽減、防止することができる。
また地面等の接地面に釘、針、ガラス破片等の危険物がある場合でも、靴底で直接踏むことがないことから足裏の安全を確保できると共に、靴自体に傷が生じることを防止することができる。また地面等の接地面が有する温度が直接靴底に伝わることがないので、靴底の温度変化による影響を足裏が受けることがなく、足裏の血管の収縮や足裏の冷え、暑さ、むくみ等を抑え、足裏及び足全体の快適さを保持することができる。
また靴底に着脱式高足接地器具を接合して靴を履いた場合には、脚部が一定の高さを有することから身長を高く見せることができる。
また脚部は爪先側と踵側に１対設けられているので、靴を履いた場合の体重をバランスよく爪先側と踵側に分散でき、安定した起立、歩行を行うことができる。また脚部は筒状体の形状であるので、筒状の形状は手のひらで掴みやすく、持ち運びを容易に行うことができる。
更に１対の筒状体が連結棒で相互に連結固定されているので、靴底と脚部の結合を更に強固にしつつ、脚部の平行と地面等の接地面に対する強度を保持することができる。
【考案を実施するための最良の形態】
【００１０】
以下の図面を参照して、本考案の実施形態に係る着脱式高足接地器具について説明する。
図１は本考案の実施形態に係る着脱式高足接地器具の全体斜視図、図２は本考案の実施形態に係る着脱式高足接地器具の正面図、図３は本考案の実施形態に係る着脱式高足接地器具の後部の一部縦断面図、図４は本考案の実施形態に係る着脱式高足接地器具の横断面図、図５は本考案の実施形態に係る着脱式高足接地器具の分解斜視図、図６は本考案の他の実施形態に係る着脱式高足接地器具の全体斜視図である。
【００１１】
着脱式高足接地器具１０は、図１に示すように、長靴等の靴１００に着脱可能に取り付けられるものであり、１対の脚部２００、２００と１対の接地足部３００、３００とからなる。
【００１２】
前記脚部２００は、靴底１１０と接地足部３００との間を一定の距離を保持しつつ靴底１１０を支持すると共に、靴底１１０と接地足部３００との連結結合をなす連結支持部材として用いられるもので、脚部２００はアルミ製若しくはプラスチック製の内部に空洞部を有する筒状体で、図３、４に示すように、靴底１１０との結合部である筒状体上部に一定の厚みを有する天井部２１０を有する構成となっている。こうすることで筒状体の天井部２１０と靴底１１０とを広範囲に接面することができ、ボルト１等で両者を強固に結合することができる。またボルト１、ワッツャー２、ナット３で靴１００の中敷１２０の上から靴底１１０と脚部２００の天井部２１０とを強固に結合することで、ボルト１の頭部の位置が靴の中敷１２０の面よりも沈んだ状態を保持でき、靴１００を履いた際にボルト１の頭部が足裏にあたるという不快感を防止できる。勿論、靴底１１０と脚部２００の天井部２１０との結合後に更に中敷を敷く構成とすることもできる。
【００１３】
脚部２００は、靴底１１０と接地足部３００との間に一定の距離を確保するためのものであるという観点から、一定の強度を有するものであれば木製、その他の材料で構成してもよく、また円柱体、直方体等の何れの形状でもよく、１対である必要もない。またその大きさ、太さ等は着脱式高足接地器具１０を結合する靴１００の大きさ、履く人の体重、用途によって自由に変えることができる。
【００１４】
図３も参照して、前記１本の連結棒４００は１対の脚部２００、２００同士を平行に保持し、地面等の接地面に対する強度を保持する連結部材として用いられるもので、両端部がナット３での結合が可能となるようにねじ切り加工とされている。またその本数、長さ、太さ等は脚部２００の形状に伴い自由に変えることができる。
【００１５】
図２〜図４も参照して、前記１対の接地足部３００、３００は、脚部２００を下方から支持、結合する部材であると共に、地面等の接地面と接する部材であり、アルミ製若しくはプラスチック製の平板状体３１０とゴム製の平板状体３２０との２層からなる。平板状体３１０は脚部２００の下方に結合される部材であり、脚部２００と同様に靴１００の爪先側と踵側に１対で設けられており、また平板状体３１０の長手方向が長靴等の靴底１１０の長手方向に直交するように結合される。こうすることで脚部２００の高さがある程度高くなった場合でも、多方向への安定を保持することができる。また平板状体であることから、靴１００を履いた場合に体重によって筒状の脚部２００と平板状体３１０との接合面に作用する下方への力を平面へと分散することができる。またアルミ製若しくはプラスチック製であることから、軽量で加工、分解、一部取り替え、再生等が容易で且つ低コストで行える。
また平板状体３１０の脚部２００との結合面側は、１対の直方体状の連結用凸部３１１、３１１を有する構成としている。こうすることで筒状体の脚部２００を連結用凸部３１１で挟み込んだ状態でボルト１、ワッシャー２、ナット３で結合することができ、脚部２００の靴底１１０の長手方向に直交する方向へのずれを防止できると共に、筒状体と接地足部３００との結合を容易に位置決めすることができる。また連結用凸部３１１のボルト１等での結合穴３１１ａをボルト１の直径よりも地面等の接地面に対して垂直方向にやや大きくした構成としているので、脚部２００との結合は強固としたまま、歩行時に接地足部３００が若干前後方向に動くことが可能となる。これによってスムーズな歩行を確保することができる。勿論、連結用凸部３１１の形状は直方体状に限られるものではない。
【００１６】
ゴム製の平板状体３２０は前記平板状体３１０の下方に張り合わされて脚部２００を下方から支持すると共に、地面等の接地面と接する部材である。平板状体３１０よりもやや薄く同形状のゴム製の平板状体から構成されているので、地面等に対する接地面を広くすることができる。そうすることで地面等に対するゴムが有するグリップ力を増すことができ、脚部２００の高さがある程度高くなっても多方向の動きに対しても安定に保持することができ、地面等の接地面に水等の液体がある場合でも安定した起立状態の保持や歩行を行うことができる。またクッション材として、歩行時等には足への衝撃を防止することができる。更に前記アルミ製若しくはプラスチック製の平板状体３１０によって平面へと分散された下方への力をゴム製の平板状体３２０によって適当に弾性変形させることで、その接地面積を増大させ、応力集中を緩和することができる。よってこれらの応力の分散、緩和作用により、脚部２００が空洞部を有する構成であっても脚部２００の変形を防止することができる。
勿論、ゴム製の平板状体３２０の厚みをアルミ製若しくはプラスチック製の平板状体３１０と同等、若しくはそれ以上とする構成であってもよい。また接地足部３００は２層ではなく複数層とする構成であってもよいが、最下層はゴム製とすることが望ましい。張り合わせ方は接合面に塗布された接着剤等によって接着する。接地足部３００の材質、枚数、形状、厚み、大きさ等は着脱式高足接地器具１０を結合する靴１００の大きさ、履く人の体重、用途、脚部２００の形状等によって自由に変えることができる。また結合部品もボルト、ワッシャー、ナットに限られるものではなく自由に変えることができる。
【００１７】
本実施形態における着脱式高足接地器具１０の組み立てを説明する。
今、靴１００を１足用意し、脚部２００を２対、連結棒４００を２本、接地足部３００を２対、ボルト２０本、ワッシャー４８枚、ナット２８個を用意する。そして靴底１１０の前後２箇所に脚部２００をそれぞれボルト４本、ワッシャー８枚、ナット４個で結合していく。次に連結棒４００を脚部２００の前後に内接するようにそれぞれワッシャー２枚、ナット２個で結合していく。次に脚部２００を連結用凸部３１１に挟み込み、それぞれボルト１本、ワッシャー２枚、ナット１個で結合させることで着脱式高足接地器具１０が完成する。
【００１８】
図６を参照して、用途により着脱式高足接地器具１０は、接地足部３００を設けないで１対の脚部２００、２００と１本の連結棒４００とからなる構成とすることもできる。
前記脚部２００は、靴底１１０と接地面との間を一定の距離を保持しつつ靴底１１０を支持すると共に、地面等の接地面に接する部材として用いられるもので、脚部２００はアルミ製若しくはプラスチック製の内部に空洞部を有する筒状体で、靴底１１０との結合部である筒状体上部に一定の厚みを有する天井部を有する構成となっている。こうすることで筒状体の天井部と靴底１１０とを広範囲に接面することができ、ボルト１等で両者を強固に結合することができる。またボルト１、ワッツャー２、ナット３で靴１００の中敷１２０の上から靴底１１０と脚部２００の天井部とを強固に結合することで、ボルト１の頭部の位置が靴の中敷１２０の面よりも沈んだ状態を保持でき、靴１００を履いた際にボルト１の頭部が足裏にあたるという不快感を防止できる。勿論、靴底１１０と脚部２００の天井部との結合後に更に中敷を敷く構成とすることもできる。
【００１９】
前記脚部２００は、靴底１１０と地面等の接地面との間に一定の距離を確保するためのものであるという観点から、一定の強度を有するものであれば木製、その他の材料で構成してもよく、また円柱体、直方体等の何れの形状でもよく、１対である必要もない。またその大きさ、太さ等は着脱式高足接地器具１０を結合する靴１００の大きさ、履く人の体重、用途によって自由に変えることができる。
【図面の簡単な説明】
【００２０】
【図１】本考案の実施形態に係る着脱式高足接地器具の全体斜視図である。
【図２】本考案の実施形態に係る着脱式高足接地器具の正面図である。
【図３】本考案の実施形態に係る着脱式高足接地器具の後部の一部縦断面図である。
【図４】本考案の実施形態に係る着脱式高足接地器具の横断面図である。
【図５】本考案の実施形態に係る着脱式高足接地器具の分解斜視図である。
【図６】本考案の他の実施形態に係る着脱式高足接地器具の全体斜視図である。
【符号の説明】
【００２１】
１        ボルト
２        ワッツャー
３        ナット
１０      着脱式高足接地器具
１００    靴
１１０    靴底
１２０    中敷
２００    脚部
２１０    天井部
３００    接地足部
３１０    アルミ製若しくはプラスチック製の平板状体
３１１    連結用凸部
３１１ａ  結合穴
３２０    ゴム製の平板状体
４００    連結棒
【図１】
0003125591.tif 000003
【図２】
0003125591.tif 000004
【図３】
0003125591.tif 000005
【図４】
0003125591.tif 000006
【図５】
0003125591.tif 000007
【図６】
0003125591.tif 000008
【手続補正書】
【提出日】平成18年7月25日(2006.7.25)
【手続補正１】
【補正対象書類名】実用新案登録請求の範囲
【補正対象項目名】全文
【補正方法】変更
【補正の内容】
【実用新案登録請求の範囲】
【請求項１】
長靴等の靴底に着脱可能に結合される脚部を有することを特徴とする着脱式高足接地器具。
【請求項２】
脚部はアルミ製若しくはプラスチック製の空洞部を有する筒状体から構成され、爪先側と踵側に１対設けられ、且つ連結棒で相互に連結固定されていることを特徴とする請求項１に記載の着脱式高足接地器具。
【請求項３】
脚部の下方に着脱可能に結合される接地足部を有することを特徴とする請求項１又は２に記載の着脱式高足接地器具。
【請求項４】
接地足部は筒状体と連結するための連結用凸部を有するアルミ製若しくはプラスチック製の平板状体とその下面に積層されたゴム製の平板状体から構成されていることを特徴とする請求項３に記載の着脱式高足接地器具。
【手続補正２】
【補正対象書類名】明細書
【補正対象項目名】全文
【補正方法】変更
【補正の内容】
【考案の詳細な説明】
【技術分野】
【０００１】
本考案は着脱式高足接地器具に関する。
【背景技術】
【０００２】
従来、靴に高さをもたせたものとしては、背を高く見せるための、いわゆるシークレットブーツ等の靴があった。これらの靴は靴内部の中敷に厚みをもたせたものが一般的であった。この従来のシークレットブーツ等の場合には、靴底と爪先部、甲皮部、踵部等のいわゆる靴本体部とを一体に張り合わせて構成されており、接地足部である靴底等を容易に分離し、取り替え等を行うことが困難であるという問題があった。
一方、実開平６−５８７０２号公報には工事用高さ増大長靴が、また実用新案登録第３０６３８１６号公報には靴底の高さを高くした靴が提供されている。
【特許文献１】実開平６−５８７０２号公報
【特許文献２】実用新案登録第３０６３８１６号公報
【考案の開示】
【考案が解決しようとする課題】
【０００３】
上記特許文献１に示すような靴は一定の高さを保持する点において靴の利点となるものである。また上記特許文献２に示すような靴は足を長く見せるために靴底の長さを長くする点において靴の利点となるものである。しかし上記記載の靴は何れも靴底が爪先部、甲皮部、踵部等のいわゆる靴本体部と一体に張り合わされた構成であり、接地足部である靴底を容易に分離し、一部取り替え、再生等を行うことが困難であるという問題があった。また上記特許文献１、２に示す靴の靴底の形状は靴本体の外周と同一形状をなしており、その外周を超える構成とはされていないことから、靴底の高さの増加に比例して靴底の長手方向に直交する方向の動きに対して安定に保持することが困難であるという問題があった。
【０００４】
そこで本考案は上記従来技術の問題を解消し、脚部や接地足部のみの分離、一部取り替えが可能な軽量で、加工、分解、再生が容易で且つ低コストで行え、靴底の高さがある程度高くなっても靴底の長手方向に直交する方向の動きに対して安定に保持することが可能であり、使用の自由度の高い着脱式高足接地器具の提供を課題とする。
【課題を解決するための手段】
【０００５】
上記課題を達成するための本考案の着脱式高足接地器具は、長靴等の靴底に着脱可能に結合される脚部を有することを第１の特徴としている。
また本考案の着脱式高足接地器具は、上記第１の特徴に加えて、脚部はアルミ製若しくはプラスチック製の空洞部を有する筒状体から構成され、爪先側と踵側に１対設けられ、且つ連結棒で相互に連結固定されていることを第２の特徴としている。
また本考案の着脱式高足接地器具は、上記第１又は第２の特徴に加えて、脚部の下方に着脱可能に結合される接地足部を有することを第３の特徴としている。
また本考案の着脱式高足接地器具は、上記第３の特徴に加えて、接地足部は筒状体と連結するための連結用凸部を有するアルミ製若しくはプラスチック製の平板状体とその下面に積層されたゴム製の平板状体から構成されていることを第４の特徴としている。
【考案の効果】
【０００６】
請求項１に記載の着脱式高足接地器具によれば、脚部が靴本体とは着脱可能に分離した別部材として靴底に結合されているので、脚部のみの分離、一部取り替え、再生を容易に行うことができる。また靴底と地面等の接地面との間に脚部を設けたことにより一定の距離を隔てた構成となり、靴底が直接地面等の接地面に触れることがないことから、地面等の接地面に水や油等の液体があっても、爪先部、甲皮部、踵部、靴底部等のいわゆる靴本体へ水等の液体の浸水や油等の付着を軽減、防止することができる。
また地面等の接地面に釘、針、ガラス破片等の危険物がある場合でも、靴底で直接踏むことがないことから足裏の安全を確保できると共に、靴自体に傷が生じることを防止することができる。また地面等の接地面が有する温度が直接靴底に伝わることがないので、靴底の温度変化による影響を足裏が受けることがなく、足裏の血管の収縮や足裏の冷え、暑さ、むくみ等を抑え、足裏及び足全体の快適さを保持することができる。
また靴底に着脱式高足接地器具を接合して靴を履いた場合には、脚部が一定の高さを有することから身長を高く見せることができる。
【０００７】
請求項２に記載の着脱式高足接地器具によれば、脚部がアルミ製若しくはプラスチック製の筒状体からなる構成となっていることから、軽量で加工、分解、一部取り替え、再生等が容易で、且つ低コストで行える。
また筒状体が空洞部を有する構成となっていることから、ドライバー等の工具や指先を容易に筒状体内部に挿入することができ、ボルト、ナット等での靴本体との着脱を容易に行うことができる。また取り付け後はナットが外部からは見えない構成とすることができる。また着脱式高足接地器具を持ち運ぶ際にも筒状の形状は手のひらで掴みやすく、持ち運びを容易に行うことができる。
また筒状体は爪先側と踵側に１対設けられているので、靴を履いた場合の体重をバランスよく爪先側と踵側に分散でき、安定した起立、歩行を行うことができる。また１対の筒状体が連結棒で相互に連結固定されているので、靴底と脚部の結合を更に強固にしつつ、脚部の平行と地面等の接地面に対する強度を保持することができる。
【０００８】
請求項３に記載の着脱式高足接地器具によれば、接地足部が靴本体とは着脱可能に分離した別部材として脚部により結合されているので、接地足部のみの分離、一部取り替え、再生を容易に行うことができる。また靴底と接地足部との間が脚部を設けたことにより一定の距離を隔てた構成となり、靴底が直接地面等の接地面に触れることがないことから、地面等の接地面に水や油等の液体があっても、爪先部、甲皮部、踵部、靴底部等のいわゆる靴本体へ水等の液体の浸水や油等の付着を軽減、防止することができる。
また地面等の接地面に釘、針、ガラス破片等の危険物がある場合でも、靴底で直接踏むことがないことから足裏の安全を確保できると共に、靴自体に傷が生じることを防止することができる。また地面等の接地面が有する温度が直接靴底に伝わることがないので、靴底の温度変化による影響を足裏が受けることがなく、足裏の血管の収縮や足裏の冷え、暑さ、むくみ等を抑え、足裏及び足全体の快適さを保持することができる。
【０００９】
請求項４に記載の着脱式高足接地器具によれば、接地足部がゴム製の平板状体を地面等に対面する層とした構成となっていることから、地面等に対してゴムにより確実に接地することができる。そうすることで地面等に対するゴムが有するグリップ力を増すことができ、脚部の高さがある程度高くなっても多方向の動きに対しての安定を保持することができ、地面等に水等の液体がある場合でも安定した起立状態を保持して歩行を行うことができる。またクッション材として歩行時等には足への衝撃を防止することができる。
また前記筒状体と連結するための連結用凸部を有する平板状体からなる構成となっているので、靴を履いた場合に体重によって脚部と接地足部との接合面に作用する下方への力を平面へと分散することができる。また連結用凸部によって筒状体を挟み込むことになるので筒状体の靴底の長手方向に直交する方向へのずれを防止できると共に、筒状体と接地足部との結合を容易に位置決めすることができる。
更にゴム製の平板状体を最下層とするアルミ製若しくはプラスチック製の多層からなる平板状体とする構成としていることから、前記アルミ製若しくはプラスチック製の平板状体によって平面へと分散された下方への力をゴム製の平板状体によって適当に弾性変形することでその接地面積を増大させ、応力集中を緩和することができる。よってこれらの応力の分散、緩和作用により、脚部が空洞部を有する構成であっても、脚部の変形を防止することができる。また軽量で加工、分解、一部取り替え、再生等が容易で且つ低コストで行える。
【考案を実施するための最良の形態】
【００１０】
以下の図面を参照して、本考案の実施形態に係る着脱式高足接地器具について説明する。
図１は本考案の実施形態に係る着脱式高足接地器具の全体斜視図、図２は本考案の実施形態に係る着脱式高足接地器具の正面図、図３は本考案の実施形態に係る着脱式高足接地器具の後部の一部縦断面図、図４は本考案の実施形態に係る着脱式高足接地器具の横断面図、図５は本考案の実施形態に係る着脱式高足接地器具の分解斜視図、図６は本考案の他の実施形態に係る着脱式高足接地器具の全体斜視図である。
【００１１】
着脱式高足接地器具１０は、図１に示すように、長靴等の靴１００に着脱可能に取り付けられるものであり、１対の脚部２００、２００と１対の接地足部３００、３００とからなる。
【００１２】
前記脚部２００は、靴底１１０と接地足部３００との間を一定の距離を保持しつつ靴底１１０を支持すると共に、靴底１１０と接地足部３００との連結結合をなす連結支持部材として用いられるもので、脚部２００はアルミ製若しくはプラスチック製の内部に空洞部を有する筒状体で、図３、４に示すように、靴底１１０との結合部である筒状体上部に一定の厚みを有する天井部２１０を有する構成となっている。こうすることで筒状体の天井部２１０と靴底１１０とを広範囲に接面することができ、ボルト１等で両者を強固に結合することができる。またボルト１、ワッツャー２、ナット３で靴１００の中敷１２０の上から靴底１１０と脚部２００の天井部２１０とを強固に結合することで、ボルト１の頭部の位置が靴の中敷１２０の面よりも沈んだ状態を保持でき、靴１００を履いた際にボルト１の頭部が足裏にあたるという不快感を防止できる。勿論、靴底１１０と脚部２００の天井部２１０との結合後に更に中敷を敷く構成とすることもできる。
【００１３】
脚部２００は、靴底１１０と接地足部３００との間に一定の距離を確保するためのものであるという観点から、一定の強度を有するものであれば木製、その他の材料で構成してもよく、また円柱体、直方体等の何れの形状でもよく、１対である必要もない。またその大きさ、太さ等は着脱式高足接地器具１０を結合する靴１００の大きさ、履く人の体重、用途によって自由に変えることができる。
【００１４】
図３も参照して、前記１本の連結棒４００は１対の脚部２００、２００同士を平行に保持し、地面等の接地面に対する強度を保持する連結部材として用いられるもので、両端部がナット３での結合が可能となるようにねじ切り加工とされている。またその本数、長さ、太さ等は脚部２００の形状に伴い自由に変えることができる。
【００１５】
図２〜図４も参照して、前記１対の接地足部３００、３００は、脚部２００を下方から支持、結合する部材であると共に、地面等の接地面と接する部材であり、アルミ製若しくはプラスチック製の平板状体３１０とゴム製の平板状体３２０との２層からなる。平板状体３１０は脚部２００の下方に結合される部材であり、脚部２００と同様に靴１００の爪先側と踵側に１対で設けられており、また平板状体３１０の長手方向が長靴等の靴底１１０の長手方向に直交するように結合される。こうすることで脚部２００の高さがある程度高くなった場合でも、多方向への安定を保持することができる。また平板状体であることから、靴１００を履いた場合に体重によって筒状の脚部２００と平板状体３１０との接合面に作用する下方への力を平面へと分散することができる。またアルミ製若しくはプラスチック製であることから、軽量で加工、分解、一部取り替え、再生等が容易で且つ低コストで行える。
また平板状体３１０の脚部２００との結合面側は、１対の直方体状の連結用凸部３１１、３１１を有する構成としている。こうすることで筒状体の脚部２００を連結用凸部３１１で挟み込んだ状態でボルト１、ワッシャー２、ナット３で結合することができ、脚部２００の靴底１１０の長手方向に直交する方向へのずれを防止できると共に、筒状体と接地足部３００との結合を容易に位置決めすることができる。また連結用凸部３１１のボルト１等での結合穴３１１ａをボルト１の直径よりも地面等の接地面に対して垂直方向にやや大きくした構成としているので、脚部２００との結合は強固としたまま、歩行時に接地足部３００が若干前後方向に動くことが可能となる。これによってスムーズな歩行を確保することができる。勿論、連結用凸部３１１の形状は直方体状に限られるものではない。
【００１６】
ゴム製の平板状体３２０は前記平板状体３１０の下方に張り合わされて脚部２００を下方から支持すると共に、地面等の接地面と接する部材である。平板状体３１０よりもやや薄く同形状のゴム製の平板状体から構成されているので、地面等に対する接地面を広くすることができる。そうすることで地面等に対するゴムが有するグリップ力を増すことができ、脚部２００の高さがある程度高くなっても多方向の動きに対しても安定に保持することができ、地面等の接地面に水等の液体がある場合でも安定した起立状態の保持や歩行を行うことができる。またクッション材として、歩行時等には足への衝撃を防止することができる。更に前記アルミ製若しくはプラスチック製の平板状体３１０によって平面へと分散された下方への力をゴム製の平板状体３２０によって適当に弾性変形させることで、その接地面積を増大させ、応力集中を緩和することができる。よってこれらの応力の分散、緩和作用により、脚部２００が空洞部を有する構成であっても脚部２００の変形を防止することができる。
勿論、ゴム製の平板状体３２０の厚みをアルミ製若しくはプラスチック製の平板状体３１０と同等、若しくはそれ以上とする構成であってもよい。また接地足部３００は２層ではなく複数層とする構成であってもよいが、最下層はゴム製とすることが望ましい。張り合わせ方は接合面に塗布された接着剤等によって接着する。接地足部３００の材質、枚数、形状、厚み、大きさ等は着脱式高足接地器具１０を結合する靴１００の大きさ、履く人の体重、用途、脚部２００の形状等によって自由に変えることができる。また結合部品もボルト、ワッシャー、ナットに限られるものではなく自由に変えることができる。
【００１７】
本実施形態における着脱式高足接地器具１０の組み立てを説明する。
今、靴１００を１足用意し、脚部２００を２対、連結棒４００を２本、接地足部３００を２対、ボルト２０本、ワッシャー４８枚、ナット２８個を用意する。そして靴底１１０の前後２箇所に脚部２００をそれぞれボルト４本、ワッシャー８枚、ナット４個で結合していく。次に連結棒４００を脚部２００の前後に内接するようにそれぞれワッシャー２枚、ナット２個で結合していく。次に脚部２００を連結用凸部３１１に挟み込み、それぞれボルト１本、ワッシャー２枚、ナット１個で結合させることで着脱式高足接地器具１０が完成する。
【００１８】
図６を参照して、用途により着脱式高足接地器具１０は、接地足部３００を設けないで１対の脚部２００、２００と１本の連結棒４００とからなる構成とすることもできる。
前記脚部２００は、靴底１１０と接地面との間を一定の距離を保持しつつ靴底１１０を支持すると共に、地面等の接地面に接する部材として用いられるもので、脚部２００はアルミ製若しくはプラスチック製の内部に空洞部を有する筒状体で、靴底１１０との結合部である筒状体上部に一定の厚みを有する天井部を有する構成となっている。こうすることで筒状体の天井部と靴底１１０とを広範囲に接面することができ、ボルト１等で両者を強固に結合することができる。またボルト１、ワッツャー２、ナット３で靴１００の中敷１２０の上から靴底１１０と脚部２００の天井部とを強固に結合することで、ボルト１の頭部の位置が靴の中敷１２０の面よりも沈んだ状態を保持でき、靴１００を履いた際にボルト１の頭部が足裏にあたるという不快感を防止できる。勿論、靴底１１０と脚部２００の天井部との結合後に更に中敷を敷く構成とすることもできる。
【００１９】
前記脚部２００は、靴底１１０と地面等の接地面との間に一定の距離を確保するためのものであるという観点から、一定の強度を有するものであれば木製、その他の材料で構成してもよく、また円柱体、直方体等の何れの形状でもよく、１対である必要もない。またその大きさ、太さ等は着脱式高足接地器具１０を結合する靴１００の大きさ、履く人の体重、用途によって自由に変えることができる。
【図面の簡単な説明】
【００２０】
【図１】本考案の実施形態に係る着脱式高足接地器具の全体斜視図である。
【図２】本考案の実施形態に係る着脱式高足接地器具の正面図である。
【図３】本考案の実施形態に係る着脱式高足接地器具の後部の一部縦断面図である。
【図４】本考案の実施形態に係る着脱式高足接地器具の横断面図である。
【図５】本考案の実施形態に係る着脱式高足接地器具の分解斜視図である。
【図６】本考案の他の実施形態に係る着脱式高足接地器具の全体斜視図である。
【符号の説明】
【００２１】
１        ボルト
２        ワッツャー
３        ナット
１０      着脱式高足接地器具
１００    靴
１１０    靴底
１２０    中敷
２００    脚部
２１０    天井部
３００    接地足部
３１０    アルミ製若しくはプラスチック製の平板状体
３１１    連結用凸部
３１１ａ  結合穴
３２０    ゴム製の平板状体
４００    連結棒